(57)【要約】【課題】  表示器の破損を防止するものでありながら、シャーシ部材に対する表示器の位置精度も出せるような構造を実現する。【解決手段】  シャーシ部材は、表示器の底面を支持する支持領域と、支持領域に対して折り曲げられることで表示器の側面を保持する第１の壁部となる第１の領域と、第１の領域から延出され、第１の領域に対して折り曲げることで表示器の側面を保持する第２の壁部となる第２の領域とが形成されるものであって、シャーシ部材に表示器を保持したときに、第１の壁部および第２の壁部の少なくとも１つの高さが表示器の表示面より高くなるように、第１の領域および第２の領域が前記シャーシ部材に形成される。【選択図】  図２
2011033878.tif 000002
【特許請求の範囲】
【請求項１】
表示器と、表示器を保持するシャーシ部材と、前記シャーシ部材に保持された表示器を覆う外装部材と、を具備した電子機器において、
前記シャーシ部材は、表示器の底面を支持する支持領域と、前記支持領域に対して折り曲げられることで前記表示器の側面を保持する第１の壁部となる第１の領域と、前記第１の領域から延出され、前記第１の領域に対して折り曲げることで前記表示器の側面を保持する第２の壁部となる第２の領域とが形成されるものであって、
前記シャーシ部材に前記表示器を保持したときに、前記第１の壁部および前記第２の壁部の少なくとも１つの高さが前記表示器の表示面より高くなるように、前記第１の領域および前記第２の領域が前記シャーシ部材に形成されることを特徴とする電子機器。
【請求項２】
前記第２の壁部が前記シャーシ部材に保持される前記表示器に押圧力を与えるように、前記第２の領域は前記第１の領域に対して折り曲げられることを特徴とする請求項１に記載の電子機器。
【請求項３】
前記シャーシ部材は、前記第２の壁部によって押圧力が与えられる前記表示器の側面が当接する立ち曲げ部が形成されることを特徴とする請求項２に記載の電子機器。
【請求項４】
前記シャーシ部材には、前記第２の領域から延出され、前記支持領域と略平行となるように折り曲げられる第３の領域が形成されることを特徴とする請求項１ないし３のいずれかに記載の電子機器。
【請求項５】
前記第１の領域に、前記表示器の側面と当接する突状部を形成することを特徴とする請求項１ないし４のいずれかに記載の電子機器。
【発明の詳細な説明】
【技術分野】
【０００１】
本発明は、表示器を有する電子機器に関する。
【背景技術】
【０００２】
近年  デジタルカメラ等の電子機器において、撮影された画像の確認や撮影条件等の各種情報表示を行う表示器（液晶、有機ＥＬなど）の大型化が求められる一方で、電子機器の小型化、薄型化が求められている。
【０００３】
表示器の大型化に伴い、表示器に対応する外装部材の開口部も大きくなるので  外装部材の開口部近傍の剛性が低下してしまい、この部分に力を加えると表示器を破損するおそれがある。また、電子機器の薄型化に伴って、外装部材と表示器の間隙も小さくなるので、電子機器に対して厚み方向の力を加えると表示器を破損するおそれがある。
【０００４】
そこで、シャーシに突片部を設け、この突片部の高さを表示器の厚みより高くすると共に、突片部の端部に透明板を載置することにより、表示器の破損を防ぐことが提案されている。（特許文献１参照）
【先行技術文献】
【特許文献】
【０００５】
【特許文献１】特開平８−２９２７２７号公報
【発明の概要】
【発明が解決しようとする課題】
【０００６】
しかしながら、上記従来技術における構成では、電子機器に加わる力によってシャーシの突片部が変形し易いという問題点と、シャーシに対して表示器の位置精度を出しにくいという問題点があった。
【０００７】
本発明は上記問題点を鑑みてなされたものであり、表示器の破損を防止するものでありながら、シャーシ部材に対する表示器の位置精度も出せるような構造を実現することを目的とする。
【課題を解決するための手段】
【０００８】
上記目的を達成するために、本発明の電子機器は、表示器と、表示器を保持するシャーシ部材と、前記シャーシ部材に保持された表示器を覆う外装部材と、を具備した電子機器において、前記シャーシ部材は、表示器の底面を支持する支持領域と、前記支持領域に対して折り曲げられることで前記表示器の側面を保持する第１の壁部となる第１の領域と、前記第１の領域から延出され、前記第１の領域に対して折り曲げることで前記表示器の側面を保持する第２の壁部となる第２の領域とが形成されるものであって、前記シャーシ部材に前記表示器を保持したときに、前記第１の壁部および前記第２の壁部の少なくとも１つの高さが前記表示器の表示面より高くなるように、前記第１の領域および前記第２の領域が前記シャーシ部材に形成されることを特徴とする。
【発明の効果】
【０００９】
本発明の構成によれば、電子機器に力が加わったとしても、立ち曲げ部の倒れに対して強い構造となるので、立ち曲げ部の倒れによって表示器を破損することを防止することができる。また、立ち曲げ部先端の弾性を利用することで、シャーシ部材に対する表示器の位置精度を向上させることが可能となる。
【図面の簡単な説明】
【００１０】
【図１】本発明を適用したデジタルカメラの分解斜視図である。
【図２】第１の実施例としてのシャーシ部材の構造を説明する図である。
【図３】第１の実施例の変形例としてのシャーシ部材の構造を説明する図である。
【図４】第２の実施例としてのシャーシ部材の構造を説明する図である。
【図５】シャーシ部材の延設領域と後カバーの関係を示す断面図である。
【発明を実施するための形態】
【００１１】
（第１の実施例）
図１は本発明の電子機器としてのデジタルカメラの分解斜視図である。外装部材である後カバー１０７には表示器１０８の表示面を保護する保護窓１１７が貼り付けられている。シャーシ部材２０１に表示器１０８を保持したのち、後カバー１０７がシャーシ部材２０１に固定される。このとき保護窓１１７が表示器１０８の表示面を覆うように位置する。
【００１２】
図２は第１の実施例であるシャーシ部材２０１の構造を説明する図である。シャーシ部材２０１はデジタルカメラ内で、表示器１０８のほかに鏡筒ユニットや回路基板を保持する機能を有する。
【００１３】
シャーシ部材２０１はプレス加工にて打ち抜かれた金属板に対して折曲加工を施すことで形成される。図２（ａ）は折曲加工をする前のシャーシ部材２０１を図示したもので、図２（ｂ）は折曲加工を施した後のシャーシ部材２０１を図示したものである。シャーシ部材２０１は表示器１０８の底面を支持する支持領域２０１−Ａと支持領域２０１−Ａから延出された延出領域２０１−Ｅが形成される。さらに、この延出領域２０１−Ｅには、支持領域２０１−Ａに隣接する第１の領域２０１−Ａ１と、第１の領域２０１−Ａ１に隣接する第２の領域２０１−Ａ２が形成されている。
【００１４】
シャーシ部材２０１の第１の領域２０１−Ａ１は、支持領域２０１−Ａと第１の領域２０１−Ａ１との境界線２０１−Ｂ１で折曲加工されることで、表示器１０８の長辺側の側面と当接可能な第１の壁部となる。そして、シャーシ部材２０１の第２の領域２０１−Ａ２は、第１の領域２０１−Ａ１と第２の領域２０１−Ａ２との境界線２０１−Ｂ２で折曲加工されことで、表示器１０８の短辺側の側面と当接可能な第２の壁部となる。
【００１５】
図５に図示するように、折曲加工後の第１の領域２０１−Ａ１（第１の壁部）または第２の領域２０１−Ａ２（第２の壁部）の高さは、表示器１０８の表示面よりも後カバー１０７に向けてＬだけ突出するように形成されている。したがって、図５（ａ）に図示するように、後カバー１０７に矢印方向の力が与えられると、折曲加工後の第１の領域２０１−Ａ１（第１の壁部）または第２の領域２０１−Ａ２（第２の壁部）の上端が後カバー１０７に当接する。これによって、後カバー１０７に力が与えられたとしても、第１の領域２０１−Ａ１（第１の壁部）または第２の領域２０１−Ａ２（第２の壁部）が後カバー１０７の変形を抑えることができる。よって、表示器１０８の表示面に大きな力が与えられることがなく、表示器１０８の破損を防ぐことが可能となる。図５（ｂ）は、図５（ａ）に代えて、第１の領域２０１−Ａ１（第１の壁部）または第２の領域２０１−Ａ２（第２の壁部）を保護窓１１７に当接させるように形成した変形例を説明する図である。図５（ｂ）に図示するように、後カバー１０７に矢印方向の力が与えられたとしても、第１の領域２０１−Ａ１（第１の壁部）または第２の領域２０１−Ａ２（第２の壁部）が保護窓１１７に当接することで、後カバー１０７の変形を抑えることができる。したがって、この変形例においても、表示器１０８の表示面に大きな力が与えられることがなく、表示器１０８の破損を防ぐことが可能となる。
【００１６】
図２（ｂ）において、シャーシ部材２０１には、立ち曲げ部２０１−Ｄ１および２０１−Ｄ２が形成されている。立ち曲げ部２０１−Ｄ１および２０１−Ｄ２は表示器１０８の短辺側の側面に当接して、表示器１０８の長辺方向の位置決めを行うための立ち曲げ部である。上述したように、第２の領域２０１−Ａ２（第２の壁部）は境界線２０１−Ｂ２で折曲加工されるので、第２の領域２０１−Ａ２（第２の壁部）が表示器１０８を立ち曲げ部２０１−Ｄ２に向けて押す押圧力を生じるように、第２の領域２０１−Ａ２を形成している。立ち曲げ部２０１−Ｄ１は表示器１０８を組み込むためのガイドとして機能するもので、表示器１０８を立ち曲げ部２０１−Ｄ２に向けて押す力を生じさせていない。つまり、表示器１０８を組み込む前の状態において、第２の領域２０１−Ａ２（第２の壁部）の先端は立ち曲げ部２０１−Ｄ１よりも立ち曲げ部２０１−Ｄ２に向かって若干突出している。表示器１０８を組み込んだのち、第２の領域２０１−Ａ２（第２の壁部）が表示器１０８に押圧力を与えることで、立ち曲げ部２０１−Ｄ１と表示器１０８の短辺側の側面は当接しなくなる。
【００１７】
したがって、表示器１０８はその短辺方向は第１の領域２０１−Ａ１（第１の壁部）によって位置決めされ、表示器１０８の長辺方向は第２の領域２０１−Ａ２（第２の壁部）が表示器１０８を立ち曲げ部２０１−Ｄ２に向けて押すことで、位置決めされている。第１の領域２０１−Ａ１（第１の壁部）、第２の領域２０１−Ａ２（第２の壁部）および立ち曲げ部２０１−Ｄ２には、それぞれ表示器１０８の側面と当接する突状部２０１−Ｃが形成される。第１の領域２０１−Ａ１（第１の壁部）、第２の領域２０１−Ａ２（第２の壁部）および立ち曲げ部２０１−Ｄ２にそれぞれ形成された突状部２０１−Ｃが表示器１０８の側面にそれぞれ当接して、表示器１０８を保持している。このように突状部２０１−Ｃを形成することで、第１の領域２０１−Ａ１（第１の壁部）、第２の領域２０１−Ａ２（第２の壁部）および立ち曲げ部２０１−Ｄ２と表示器１０８の側面との間のガタを吸収することができる。したがって、シャーシ部材２０１に対して表示器１０８をガタなく、高精度に位置決めしている。本実施例では、表示部１０８の４つの側面すべてを突状部２０１−Ｃにて当接させている。しかし、表示部１０８の長辺方向は第２の領域２０１−Ａ２（第２の壁部）にて常に押圧しているので、第２の領域２０１−Ａ２（第２の壁部）および立ち曲げ部２０１−Ｄ２には突状部２０１−Ｃを形成しなくとも、表示部１０８の長辺方向にガタは出ない。よって、第２の領域２０１−Ａ２（第２の壁部）および立ち曲げ部２０１−Ｄ２には突状部２０１−Ｃを形成しなくても同様の効果を奏することができる。
【００１８】
（第１の実施例の変形例）
図３は上述した第１の実施例の変形例であるシャーシ部材２０１’の構造を説明する図である。シャーシ部材２０１’は第１の実施例と同様にデジタルカメラ内で、表示器１０８のほかに鏡筒ユニットや回路基板を保持する機能を有する。図３（ａ）は折曲加工をする前のシャーシ部材２０１’を図示したもので、図３（ｂ）は折曲加工を施した後のシャーシ部材２０１’を図示したものである。
【００１９】
上述した第１の実施例との差異は、第２の領域２０１−Ａ２から延出された第３の領域２０１−Ａ３が形成される部分である。第３の領域２０１−Ａ３は第２の領域２０１−Ａ２と第３の領域２０１−Ａ３の境界２０１−Ｂ３によって折曲加工される。図３（ｂ）に図示するように、折曲加工を施した後の第３の領域２０１−Ａ３は支持領域２０１−Ａと略平行となる。したがって、第３の領域２０１−Ａ３が形成されることで、第２の領域２０１−Ａ２に力が与えられた場合に、第１の実施例よりも第２の領域２０１−Ａ２の変形を防止することができるという効果を奏する。
【００２０】
（第２の実施例）
図４は第２の実施例であるシャーシ部材１２０１の構造を説明する図である。シャーシ部材１２０１は第１の実施例と同様に、デジタルカメラ内で、表示器１０８のほかに鏡筒ユニットや回路基板を保持する機能を有する。
【００２１】
シャーシ部材１２０１はプレス加工にて打ち抜かれた金属板に対して折曲加工を施すことで形成される。図４（ａ）は折曲加工をする前のシャーシ部材２０１を図示したもので、図４（ｂ）は折り加工を施した後のシャーシ部材１２０１を図示したものである。以下、第１の実施例と異なる部分のみ説明する。説明のない部分に関しては上述した第１の実施例と同様である。
【００２２】
シャーシ部材１２０１は表示器１０８の底面を支持する支持領域１２０１−Ａと支持領域１２０１−Ａから延出された延出領域１２０１−Ｅが形成される。さらに、この延出領域１２０１−Ｅには、支持領域１２０１−Ａに隣接する第１の領域１２０１−Ａ１と、第１の領域１２０１−Ａ１に隣接する第２の領域１２０１−Ａ２が形成されている。
【００２３】
シャーシ部材１２０１の第１の領域１２０１−Ａ１は、表示器１０８の短辺側の側面に対して、略平行となるように、支持領域１２０１−Ａと第１の領域１２０１−Ａ１との境界線１２０１−Ｂ１で折曲加工される。そして、シャーシ部材１２０１の第２の領域１２０１−Ａ２は、表示器１０８の長辺側の側面に対して、略平行となるように、第１の領域１２０１−Ａ１と第２の領域１２０１−Ａ２との境界線１２０１−Ｂ２で折曲加工される。
【００２４】
図４（ｂ）に図示するように、第２の領域１２０１−Ａ２は互いに向かい合う位置で、表示器１０８の長辺側の側面を押圧するので、表示器１０８の短辺方向の位置は第２の領域１２０１−Ａ２によって決められる。また、表示器１０８の長辺方向の位置は第１の領域１２０１−Ａ１と立ち曲げ部１２０１−Ｄ２によって決められる。第１の領域１２０１−Ａ１および立ち曲げ部１２０１−Ｄ２には、突状部１２０１−Ｃを形成しているので、表示器１０８の長辺方向にもガタなく位置決めされる。
【００２５】
以上、説明したように、本発明の実施形によれば、シャーシ部材の一部を折曲加工することによって、表示部を保持する壁部を形成する場合に、壁部に力が加わったとしても、従来のように壁部が倒れてしまうことを防止することができる。さらに、一部の壁部が表示器を押圧するので、シャーシ部材に対する表示器のガタつきなく、高い精度で位置決めすることができるという作用効果を奏するものである。
【符号の説明】
【００２６】
１０７  後カバー
１０８  表示器
２０１  シャーシ部材
２０１−Ａ  支持領域
２０１−Ｅ  延出領域
２０１−Ａ１  第１の領域（第１の壁部）
２０１−Ａ２  第２の領域（第２の壁部）
２０１−Ａ３  第３の領域
【図１】
2011033878.tif 000003
【図２】
2011033878.tif 000004
【図３】
2011033878.tif 000005
【図４】
2011033878.tif 000006
【図５】
2011033878.tif 000007